(57)【要約】【課題】本発明は、ガスタービンから排出される有害ガスを低減するためのガスタービンの制御装置および方法に関する。【解決手段】圧縮機と、供給機と、燃焼器と、タービンとを備え、前記タービンの回転によって発電機を駆動するガスタービンシステムの制御装置は、前記燃焼器で生成された燃焼ガスが入る前記タービンの入口の温度を示すタービン入口温度および前記タービンから排出される排出ガスの温度を示す排出ガス温度を測定するセンシング部と、前記センシング部で測定したタービン入口温度および排出ガス温度に基づいて、前記タービンに供給される圧縮空気の量を調整するように、前記供給機を制御する圧縮空気制御部とを含むことができる。【選択図】図１
2018184947.tif 000002
【特許請求の範囲】
【請求項１】
空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンとを備え、前記タービンの回転によって発電機を駆動するガスタービンシステムの制御装置であって、
前記燃焼器で生成された燃焼ガスが入る前記タービンの入口の温度を示すタービン入口温度および前記タービンから排出される排出ガスの温度を示す排出ガス温度を測定するセンシング部と、
前記センシング部で測定した前記タービン入口温度および前記排出ガス温度に基づいて、前記タービンに供給される圧縮空気の量を調節するように、前記供給機を制御する圧縮空気制御部とを含む、ガスタービンの制御装置。
【請求項２】
前記圧縮空気制御部は、
前記排出ガス温度が高くなると、前記タービンに供給される前記圧縮空気の量を増加させる、請求項１に記載のガスタービンの制御装置。
【請求項３】
前記圧縮空気制御部は、
前記排出ガス温度が、設定された臨界値以下の場合には、第１の設定量の圧縮空気を供給する、請求項１または２に記載のガスタービンの制御装置。
【請求項４】
前記圧縮空気制御部は、
前記排出ガス温度が、設定された臨界値に到達し、前記タービン入口温度が、設定された最大値以下の場合には、第２の設定量の比率で圧縮空気をさらに供給するように、前記供給機を制御する、請求項１から３のいずれか一項に記載のガスタービンの制御装置。
【請求項５】
前記圧縮空気制御部は、
前記第２の設定量の比率を（第１の設定量）×（前記タービン入口温度の設定された最大値−測定されたタービン入口温度）／（前記タービン入口温度の設定された最大値）に比例するように設定する、請求項４に記載のガスタービンの制御装置。
【請求項６】
空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンとを備え、前記タービンの回転によって発電機を駆動するガスタービンシステムの制御装置であって、
前記タービンに設けられたロータ（ｒｏｔｏｒ）の回転速度および前記タービンから排出される排出ガスの温度を示す排出ガス温度を測定するセンシング部と、
前記センシング部で測定した前記タービンに設けられた前記ロータの回転速度および前記排出ガス温度に基づいて、前記タービンに供給される圧縮空気の量を調節するように、前記供給機を制御する圧縮空気制御部とを含む、ガスタービンの制御装置。
【請求項７】
前記圧縮空気制御部は、
前記排出ガス温度が、設定された臨界値以下の場合には、第１の設定量の圧縮空気を供給し、
前記排出ガス温度が、前記設定された臨界値に到達し、前記ロータの回転速度が、変曲点の回転速度以下の場合には、第３の設定量の比率で圧縮空気をさらに供給するように、前記供給機を制御し、
前記変曲点の回転速度は、前記排出ガス温度が、前記設定された臨界値から前記設定された臨界値より低い値に変化し始める時の前記ロータの回転速度を示す、請求項６に記載のガスタービンの制御装置。
【請求項８】
前記圧縮空気制御部は、
前記第３の設定量の比率を（前記第１の設定量）×（前記変曲点の回転速度−測定された回転速度）／（前記変曲点の回転速度）に比例するように設定する、請求項７に記載のガスタービンの制御装置。
【請求項９】
空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンとを備え、前記タービンの回転によって発電機を駆動するガスタービンシステムの制御方法であって、
前記燃焼器で生成された燃焼ガスが入る前記タービンの入口の温度を示すタービン入口温度および前記タービンから排出される排出ガスの温度を示す排出ガス温度を測定するステップと、
測定した前記タービン入口温度および前記排出ガス温度に基づいて、前記タービンに供給される圧縮空気の量を調節するように、前記供給機を制御するステップとを含む、ガスタービンの制御方法。
【請求項１０】
前記供給機を制御するステップは、
前記排出ガス温度が、設定された臨界値以下の場合には、第１の設定量の圧縮空気を供給するステップを含む、請求項９に記載のガスタービンの制御方法。
【請求項１１】
前記排出ガス温度が、設定された臨界値に到達し、前記タービン入口温度が、設定された最大値以下の場合には、第２の設定量の比率で圧縮空気をさらに供給するように、前記供給機を制御するステップを含む、請求項９または１０に記載のガスタービンの制御方法。
【請求項１２】
前記第２の設定量の比率で圧縮空気をさらに供給するように、前記供給機を制御するステップは、
前記第２の設定量の比率を（第１の設定量）×（前記タービン入口温度の設定された最大値−測定されたタービン入口温度）／（前記タービン入口温度の設定された最大値）に比例するように設定するステップを含む、請求項１１に記載のガスタービンの制御方法。
【請求項１３】
空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンとを備え、前記タービンの回転によって発電機を駆動するガスタービンシステムの制御方法であって、
前記タービンに設けられたロータ（ｒｏｔｏｒ）の回転速度および前記タービンから排出される排出ガスの温度を示す排出ガス温度を測定するステップと、
測定した前記タービンに設けられた前記ロータの回転速度および前記排出ガス温度に基づいて、前記タービンに供給される圧縮空気の量を調整するように、前記供給機を制御するステップとを含む、ガスタービンの制御方法。
【請求項１４】
前記供給機を制御するステップは、
前記排出ガス温度が、設定された臨界値以下の場合には、第１の設定量の圧縮空気を供給するステップ、または、
前記排出ガス温度が、前記設定された臨界値に到達し、前記ロータの回転速度が、変曲点の回転速度以下の場合には、第３の設定量の比率で圧縮空気をさらに供給するように、前記供給機を制御するステップを含み、
前記変曲点の回転速度は、前記排出ガス温度が、前記設定された臨界値から前記設定された臨界値より低い値に変化し始める時の前記ロータの回転速度を示す、請求項１３に記載のガスタービンの制御方法。
【請求項１５】
前記第３の設定量の比率で圧縮空気をさらに供給するように、前記供給機を制御するステップは、
前記第３の設定量の比率を（前記第１の設定量）×（前記変曲点の回転速度−測定された回転速度）／（前記変曲点の回転速度）に比例するように設定するステップを含む、請求項１４に記載のガスタービンの制御方法。
【発明の詳細な説明】
【技術分野】
【０００１】
本発明は、ガスタービンの制御装置および方法に関し、より詳細には、ガスタービンから排出される有害ガスを低減するためのガスタービンの制御装置および方法に関する。
【背景技術】
【０００２】
一般的に、ガスタービンや蒸気タービンのようにタービン（ｔｕｒｂｉｎｅ）を備えた機関または装置は、ガスまたは流体の熱エネルギーを機械的エネルギーである回転力に変換する動力発生装置であり、ガスまたは流体によって軸回転するロータ（ｒｏｔｏｒ）と、前記ロータを支持し包むステータ（ｓｔａｔｏｒ）とを含んでいる。
【０００３】
電気を生産するために発電所などで使用されるガスタービンの構造について簡単に説明すると、空気を圧縮して高圧の空気を燃焼器に供給する圧縮機と、燃焼ガスを生成するための燃焼器と、燃焼器から吐出される燃焼ガスによって駆動するタービンとを含むことができる。
【０００４】
ガスタービンの圧縮機は、一般的に、タービンの軸と一体に結合してタービンとともに軸回転し、このように軸回転をしながら外部空気を吸い込んで圧縮する。圧縮された空気は燃焼器に供給され、燃焼器では、圧縮された空気に燃料を供給して燃焼させることで、高温、高圧の燃焼ガスを生成し、これをタービンに供給する。
【０００５】
タービンに供給された高温、高圧の燃焼ガスは、タービンの回転翼を駆動させることでタービンのロータ（ｒｏｔｏｒ）を回転させる。
【０００６】
このように構成されたガスタービンは、圧縮機で圧縮された空気がタービンを冷却させるために一部の圧縮空気をタービンに供給し、一部は燃焼器に供給するシステムを備えている。
【０００７】
また、一般的に、ガスタービンは、効率を最大化し、且つ排出ガスを最小化することを可能にするために、タービンの入口での温度を最適の温度に維持するように制御される。しかし、負荷が低くなるにつれてタービンの入口の温度を一定に維持することが難しくなり、結局、低くなるが、タービンの入口の温度が低くなると、それによって有害排出ガスが増加する。したがって、負荷が低い場合にもタービンの入口の温度を一定に維持して、有害排出ガスの増加を防止するための制御が必要となる。
【発明の概要】
【発明が解決しようとする課題】
【０００８】
本発明は、低い負荷状態でもタービンの入口の温度を最適の温度に一定に維持するようにするガスタービンの制御装置および方法を提供することを目的とする。
【課題を解決するための手段】
【０００９】
上述の目的を達成するための本発明に係る空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンとを備え、前記タービンの回転によって発電機を駆動するガスタービンシステムの制御装置は、前記燃焼器で生成された燃焼ガスが入る前記タービンの入口の温度を示すタービン入口温度および前記タービンから排出される排出ガスの温度を示す排出ガス温度を測定するセンシング部と、前記センシング部で測定したタービン入口温度および排出ガス温度に基づいて、前記タービンに供給される圧縮空気の量を調整するように、前記供給機を制御する圧縮空気制御部とを含んでもよい。
【００１０】
また、前記圧縮空気制御部は、前記排出ガス温度が、設定された臨界値以下の場合には、第１の設定量の圧縮空気を供給し、前記排出ガス温度が、前記設定された臨界値であり、前記タービン入口温度が、設定された最大値以下の場合には、第２の設定量の比率で圧縮空気をさらに供給するように、前記供給機を制御してもよく、これに加え、前記第２の設定量の比率を（前記第１の設定量）×（前記タービン入口温度の設定された最大値−測定されたタービン入口温度）／（前記タービン入口温度の設定された最大値）に比例するように設定してもよい。
【００１１】
上述の目的を達成するための本発明に係る空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンとを備え、前記タービンの回転によって発電機を駆動するガスタービンシステムの制御装置は、前記タービンに設けられたロータ（ｒｏｔｏｒ）の回転速度およびタービンから排出される排出ガスの温度を示す排出ガス温度を測定するセンシング部と、前記センシング部で測定した前記タービンに設けられたロータの回転速度および排出ガス温度に基づいて、前記タービンに供給される圧縮空気の量を調整するように、前記供給機を制御する圧縮空気制御部とを含んでもよい。
【００１２】
また、前記圧縮空気制御部は、前記排出ガス温度が、設定された臨界値以下の場合には、第１の設定量の圧縮空気を供給し、前記排出ガス温度が、前記設定された臨界値であり、前記ロータの回転速度が、変曲点の回転速度‐変曲点の回転速度は、前記排出ガス温度が、前記設定された臨界値から前記設定された臨界値より低い値に変化し始める時の前記ロータの回転速度を示す‐以下の場合には、第３の設定量の比率で圧縮空気をさらに供給するように、前記供給機を制御してもよく、また、前記第３の設定量の比率を（前記第１の設定量）×（前記変曲点の回転速度−測定された回転速度）／（前記変曲点の回転速度）に比例するように設定してもよい。
【００１３】
上述の目的を達成するための本発明に係るガスタービンシステムは、空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンと、前記タービンの回転によって駆動される発電機と、上述の制御装置とを含んでもよい。
【００１４】
上述の目的を達成するための本発明に係る空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンとを備え、前記タービンの回転によって発電機を駆動するガスタービンシステムの制御方法は、前記燃焼器で生成された燃焼ガスが入る前記タービンの入口の温度を示すタービン入口温度および前記タービンから排出される排出ガスの温度を示す排出ガス温度を測定するステップと、測定した前記タービン入口温度および前記排出ガス温度に基づいて、前記タービンに供給される圧縮空気の量を調整するように、前記供給機を制御するステップとを含んでもよい。
【００１５】
また、前記供給機を制御するステップは、前記排出ガス温度が、設定された臨界値以下の場合には、第１の設定量の圧縮空気を供給するステップと、前記排出ガス温度が、前記設定された臨界値であり、前記タービン入口温度が、設定された最大値以下の場合には、第２の設定量の比率で圧縮空気をさらに供給するように、前記供給機を制御するステップとを含み、前記第２の設定量の比率で圧縮空気をさらに供給するように、前記供給機を制御するステップは、前記第２の設定量の比率を（前記第１の設定量）×（前記タービン入口温度の設定された最大値−測定されたタービン入口温度）／（前記タービン入口温度の設定された最大値）に比例するように設定するステップを含んでもよい。
【００１６】
上述の目的を達成するための本発明に係る空気を吸い込んで圧縮する圧縮機と、前記圧縮機で圧縮した圧縮空気を燃焼器およびタービンに供給する供給機と、前記圧縮空気と燃料を燃焼させて高温、高圧の燃焼ガスを生成する燃焼器と、前記燃焼器に発生する燃焼ガスによって回転するタービンとを備え、前記タービンの回転によって発電機を駆動するガスタービンシステムの制御方法は、前記タービンに設けられたロータ（ｒｏｔｏｒ）の回転速度およびタービンから排出される排出ガスの温度を示す排出ガス温度を測定するステップと、測定した前記タービンに設けられたロータの回転速度および前記排出ガス温度に基づいて、前記タービンに供給される圧縮空気の量を調整するように、前記供給機を制御するステップとを含んでもよい。
【００１７】
また、前記供給機を制御するステップは、前記排出ガス温度が、設定された臨界値以下の場合には、第１の設定量の圧縮空気を供給するステップと、前記排出ガス温度が、前記設定された臨界値であり、前記ロータの回転速度が、変曲点の回転速度‐変曲点の回転速度は、前記排出ガス温度が、前記設定された臨界値から前記設定された臨界値より低い値に変化し始める時の前記ロータの回転速度を示す‐以下の場合には、第３の設定量の比率で圧縮空気をさらに供給するように、前記供給機を制御するステップとを含んでもよく、前記第３の設定量の比率で圧縮空気をさらに供給するように、前記供給機を制御するステップは、前記第３の設定量の比率を（前記第１の設定量）×（前記変曲点の回転速度−測定された回転速度）／（前記変曲点の回転速度）に比例するように設定するステップを含んでもよい。
【発明の効果】
【００１８】
本発明によると、低い負荷状態でも燃焼器での完全燃焼を可能にすることで、排出される有害ガスの量を低減することができるという効果がある。
【００１９】
また、本発明によると、タービンに供給される冷却用圧縮空気の量を調整することで、タービンから排出される排出ガスの温度を下げることができるという効果がある。
【図面の簡単な説明】
【００２０】
【図１】本発明の一実施形態に係るガスタービンシステムを図示した図である。
【図２】負荷による燃焼ガスのタービン２０の引き込み温度と排出ガス温度との関係を図示した図である。
【図３】本発明の一実施形態に係る制御装置１００の構造を図示した図である。
【図４】本発明の制御装置による制御結果を図示した図である。
【図５】本発明の一実施形態に係るガスタービンシステムの制御装置１００の制御方法を図示した図である。
【図６】本発明の一実施形態に係る燃焼ガスのタービン入口温度を測定することができない場合のガスタービンシステムの制御装置１００の制御方法を図示した図である。
【発明を実施するための形態】
【００２１】
本発明を明確に説明するために、説明と関係のない部分は省略しており、明細書の全体にわたり同一または類似の構成要素に対しては、同じ参照符号を付けることにする。
【００２２】
明細書の全体において、ある部分が他の部分と「連結」されているとしたとき、これは、「直接連結」されている場合だけでなく、その間に他の素子を挟んで「電気的に連結」されている場合をも含む。また、ある部分がある構成要素を「含む」としたとき、これは、特に相反する記載がない限り、他の構成要素を除くのではなく、他の構成要素をさらに含み得ることを意味する。
【００２３】
ある部分が他の部分の「上に」あると言及した場合、これは、他の部分のすぐ上にあってもよく、その間に他の部分が伴われてもよい。対照的に、ある部分が他の部分の「真上に」あると言及した場合、その間には他の部分が伴われない。
【００２４】
第１、第２および第３などの用語は、様々な部分、成分、領域、層および／またはセクションを説明するために使用されるが、これらに限定されない。これらの用語は、ある部分、成分、領域、層またはセクションを他の部分、成分、領域、層またはセクションと区別するためにのみ使用される。したがって、以下で記述する第１の部分、成分、領域、層またはセクションは、本発明の範囲から逸脱しない範囲内で、第２の部分、成分、領域、層またはセクションに言及され得る。
【００２５】
ここで使用される専門用語は、単に特定の実施形態を言及するためのものであって、本発明を限定することを意図しない。ここで使用される単数形態は、文句がこれと明らかに相反する意味を有していない限り、複数形態をも含む。明細書で使用される「含む」の意味は、特定の特性、領域、整数、段階、動作、要素および／または成分を具体化し、他の特性、領域、整数、段階、動作、要素および／または成分の存在や付加を除くものではない。
【００２６】
「下」、「上」などの相対的な空間を示す用語は、図面に図示されている一部分の他の部分に対する関係をより簡単に説明するために使用され得る。かかる用語は、図面で意図した意味とともに使用中の装置の他の意味や動作を含むように意図される。例えば、図面中の装置を覆すと、他の部分の「下」にあるものと説明されたある部分は、他の部分の「上」にあるものと説明される。したがって、「下」という例示的な用語は、上方向と下方向の両方を含む。装置は、９０゜回転または他の角度で回転してもよく、相対的な空間を示す用語もこれにしたがって解釈される。
【００２７】
他に定義してはいないが、ここで使用される技術用語および科学用語を含むすべての用語は、本発明が属する技術分野において通常の知識を有する者が一般的に理解する意味と同じ意味を有する。普段使用される辞書に定義されている用語は、関連技術文献と現在開示されている内容に合致する意味を有するものとさらに解釈され、定義されない限り、理想的または非常に公式的な意味に解釈されない。
【００２８】
図１は本発明の一実施形態に係るガスタービンシステムを図示した図である。
【００２９】
図１を参照すると、ガスタービンシステムは、圧縮機１０と、供給機５０と、燃焼器３０と、タービン２０と、制御装置１００とを含んでもよい。
【００３０】
圧縮機１０は、外部空気を吸い込んで圧縮し、高圧の空気を生成する機能を行うことができる。圧縮された空気は、供給機５０によって燃焼器３０に伝達され得、一部の圧縮空気は、タービン２０に伝達されて、タービンを冷却するために使用され得る。この際、タービンに伝達される圧縮空気は、冷却器（図示せず）を経ることで温度が下がることがあり、温度が下がった圧縮空気は、タービン２０に伝達され得る。
【００３１】
燃焼器３０は、圧縮機１０から入る圧縮空気に燃料を注入して燃焼させることで、高圧、高温の燃焼ガスを生成し、タービン２０に提供することができる。タービン２０に供給された高温、高圧の燃焼ガスは、タービンの回転翼を駆動させてタービン２０のロータを回転させる。タービン２０に供給された高温、高圧の燃焼ガスは、タービンの回転翼を駆動させることで温度と圧力が減少し、排出ガスとして大気中に放出される。
【００３２】
タービン２０と圧縮機１０は、一つの軸４０にともに固定されており、上述のように、タービン２０のロータが回転するに伴い圧縮機１０も回転することができる。
【００３３】
制御装置１００は、一般的に、ガスタービンシステムの効率的な駆動のために、様々な制御を行うことができるが、本発明は、特に、タービン２０に供給される圧縮空気の量を調整するために供給機５０を制御する方法に関する。
【００３４】
一般的に、ガスタービンシステムは、燃料を燃焼させてタービン２０のロータを回転させることで発電を行うことができるが、この際、上述のとおり、有害な排出ガスが生成される。有害な排出ガスの生成を最小化するためには、注入される燃料を完全に燃焼させる必要がある。すなわち、燃焼器で生成される燃焼ガスのタービン２０の入口での温度をできるだけ高く、且つ一定に維持することで、有害な排出ガスの生成を最小化することができる。また、ガスタービンシステムの出力は、燃焼器３０に流入される燃料の量を制御する燃料弁を制御することで、直接制御され得る。
【００３５】
すなわち、制御装置１００は、燃焼ガスのタービン入口温度（Ｔｕｒｂｉｎｅ  Ｉｎｌｅｔ  Ｔｅｍｐｅｒａｔｕｒｅ）および排出ガス温度（Ｅｘｈａｕｓｔ  Ｇａｓ  Ｔｅｍｐｅｒａｔｕｒｅ）に基づいて、ガスタービンシステムが効率よく運行されるように制御を行うことができる。
【００３６】
図１および図２は、負荷による燃焼ガスのタービン２０の引き込み温度および排出ガス温度の関係を図示した図である。
【００３７】
一般的な状況で、ガスタービンシステムは、最適の効率および最小の有害排出ガスを取得するために、タービン入口温度をできるだけ高く、且つ一定に維持しようとする。タービン入口温度の限界は、タービンおよび燃焼器の温度に対する耐久性によって決定され得る。すなわち、タービンおよび／または燃焼器の構成品が影響を受けない最大の温度をタービン入口温度として設定することができ、制御装置１００は、タービン入口温度が、設定された最大値を維持するように、燃焼器に供給する圧縮空気量および燃料量を決定して制御することができる。
【００３８】
図２を参照すると、負荷が大きいほどタービン入口温度２１０は一定に維持され、且つ排出ガス温度２２０は低くなる。逆に考えると、負荷が小さくなるほどタービン入口温度２１０は低くなり、且つ排出ガス温度２２０は高くなる。これは、負荷が小さくなるほどロータの回転が小さくなり、消費する熱エネルギーが小さくなるためである。すなわち、負荷が小さくなるほど、同じ温度でタービン２０に引き込まれる燃焼ガスが消費する熱エネルギーが小さくなるため、排出ガス温度２２０は大きくなる。また、排出ガス温度２２０は、環境規制などによって、臨界値以上に上がることができない。すなわち、臨界値以上になると、有害排出ガスの量が制御可能な範囲から逸脱することになり、規制範囲以上の有害ガスを排出し得るためである。
【００３９】
したがって、制御装置１００は、排出ガス温度２２０を臨界値以上に上がらないようにするために、燃焼ガスのタービン入口温度２１０を下げるように制御することができる。すなわち、負荷が最大に生産可能な負荷より小さい部分負荷状態２１１では、排出ガス温度２２０が臨界値以上に上がらないようにするために、タービン入口温度２１０を下げるように制御することができる。しかし、タービン入口温度２１０を下げると、ガスタービンシステムの効率が低下し、また、燃料の不完全燃焼によって有害物質が排出ガスに、より多く含まれる可能性がある。これを防止するためには、タービン入口温度２１０が最大値を維持し続けるように制御しながら排出ガス温度２２０を低下させる必要がある。
【００４０】
図３は本発明の一実施形態に係る制御装置１００の構造を図示した図である。
【００４１】
図１〜図３を参照すると、制御装置１００は、センシング部１１０と圧縮空気制御部１２０とを含んでもよい。センシング部１１０は、タービン入口温度２１０および排出ガス温度２２０を測定することができる。また、タービン２０にあるロータの回転数を測定し、これに基づいて負荷を推定することができる。
【００４２】
圧縮空気制御部１２０は、センシング部１１０で測定したタービン入口温度２１０、排出ガス温度２２０、および／または負荷に基づいて、燃焼器３０およびタービン２０に向かう圧縮空気の量を制御することができる。圧縮空気制御部１２０は、負荷が減少するにつれて排出ガス温度２２０が上昇すると、燃焼器３０に引き込まれる圧縮空気の量を制御することで、タービン入口温度２１０を最大値に維持し続けることができる。これに加え、圧縮空気制御部１２０は、排出ガス温度２２０の継続した上昇によって臨界値に到達した場合には、タービン２０の冷却のために、タービン２０に供給される圧縮空気の量を増加させるように供給機５０を制御することができる。これにより、タービン２０に引き込まれる燃焼ガスはさらに冷却され得、これにより、排出ガス温度２２０を下げることができる。この際、増加させる圧縮空気の量は、現在測定されているタービン入口温度２１０に基づいて決定することができる。一実施形態として、圧縮空気制御部１２０は、（タービン入口温度の最大値−現在のタービン入口温度）／（タービン入口温度の最大値）により求められる比率に比例するように供給する圧縮空気の量を増加させることができる。
【００４３】
上述のように、タービンに供給する圧縮空気の量を増加させることで、排出ガス温度をさらに下げ、これにより、タービン入口温度を下げることなく、排出ガス温度を臨界値以下に制御することができる。
【００４４】
図４は本発明の制御装置による制御結果を図示した図である。
【００４５】
図４を図２と比較すると、負荷が低い領域２１３で排出ガス温度２２０が臨界値に到達しても、タービン入口温度２１０を最大値に維持できることが分かる。これにより、燃料の完全燃焼が可能となり、有害ガスの排出を最小化することができる。
【００４６】
図５は本発明の一実施形態に係るガスタービンシステムの制御装置１００の制御方法を図示した図である。
【００４７】
図１〜図３および図５を参照すると、本発明の一実施形態に係るガスタービンシステムの制御装置１００は、センシング部１１０などを用いて、タービン入口温度および排出ガス温度を測定（Ｓ５１０）することができる。一般的な正常動作の場合には、タービン入口温度は最大値の周辺に存在し、排出ガス温度は臨界値以下に存在する。このように排出ガス温度が臨界値以下の場合には、制御装置１００は、第１の設定量の圧縮空気がタービン２０に供給され続ける（Ｓ５２０）ように制御することができる。しかし、求められる負荷の減少によってタービン２０のロータの回転速度が減少し、排出ガス温度が上がる。以降、排出ガス温度が臨界値に到達し、タービン入口温度が最大値以下になると、第２の設定量の比率で圧縮空気の供給を増加させることができる（Ｓ５３０）。この際、第２の設定量の比率は、測定されたタービン入口温度に基づいて設定することができる。一実施形態として、第２の設定量の比率は、（タービン入口温度の最大値−現在のタービン入口温度）／（タービン入口温度の最大値）で求められた比率で設定され得る。
【００４８】
一方、上述の説明では、タービン入口温度を測定することができると想定しているが、タービン入口温度が高すぎて測定が不可能な場合があり得る。この場合には、負荷および排出ガス温度に基づいて、タービン入口温度を推定することができる。
【００４９】
すなわち、ガスタービンシステムの制御装置１００は、排出ガス温度と負荷に基づいて、タービン入口温度を推定することができる。したがって、制御装置１００は、排出ガス温度が臨界値にあり、負荷の大きさが小さい状態２１１では、タービン入口温度が最大値以下にあると判断することができる。この際、制御装置１００は、負荷量またはタービン２０のロータの回転速度に基づいて、タービンに供給する圧縮空気の追加比率を設定することができる。一実施形態として、制御装置１００は、正常状態でタービン入口温度が最大値にあり、排出ガス温度が臨界値から減少する地点（Ａ）の負荷量と現在（Ｂ）の負荷量に基づいて、（Ａ地点の負荷量−現在の負荷量）／（Ａ地点の負荷量）で求めた値に比例してタービンに供給する圧縮空気の追加比率を設定することができる。
【００５０】
図６は本発明の一実施形態に係る燃焼ガスのタービン入口温度を測定することができない場合のガスタービンシステムの制御装置１００の制御方法を図示した図である。
【００５１】
図１〜図３および図６を参照すると、本発明の一実施形態に係るガスタービンシステムの制御装置１００は、センシング部１１０などを用いて、負荷量および排出ガス温度を測定（Ｓ６１０）することができる。一般的な正常動作の場合には、タービン入口温度は最大値の周辺に存在し、排出ガス温度は臨界値以下に存在する。このように排出ガス温度が臨界値以下の場合に、制御装置１００は、第１の設定量の圧縮空気がタービン２０に供給され続ける（Ｓ６２０）ように制御することができる。しかし、求められる負荷の減少によってタービン２０のロータの回転速度が減少し、排出ガス温度が上がる。以降、排出ガス温度が臨界値に到達し、負荷量が変曲点（Ａ）（すなわち、排出ガス温度が臨界値から低い値に変化し始める地点）での負荷量より小さくなると、制御装置１００は、第３の設定量の比率で圧縮空気の供給を増加させることができる（Ｓ６３０）。この際、第３の設定量の比率は、測定された負荷量に基づいて設定することができる。一実施形態として、第３の設定量の比率は、（Ａ地点の負荷量−現在の負荷量）／（Ａ地点の負荷量）で求められた比率に比例して設定され得る。もしくは、負荷量とタービンのロータの回転速度は、同じ物理的な概念を提供するため、制御装置１００は、（Ａ地点の回転速度−現在の回転速度）／（Ａ地点の回転速度）で求められた比率に比例して第３の設定量の比率を設定することもできる。
【００５２】
以上、本発明は、タービンに引き込まれる燃焼ガスの温度を示すタービン入口温度が最大値を有するように制御する制御装置を提示しており、かかる制御装置の使用は、ガスタービンシステムから排出される有害排出ガスの量を最小化することができるという利点を提供することができる。
【００５３】
本発明が属する技術分野において当業者は、本発明がその技術的思想や必須特徴を変更することなく他の具体的な形態で実施され得ることから、上述の実施形態は、すべての面において例示的なものであって、限定的ではないものと理解すべきである。本発明の範囲は、詳細な説明よりも後述する特許請求の範囲により定められ、特許請求の範囲の意味および範囲、またその等価概念から導き出されるすべての変更または変形された形態が、本発明の範囲に含まれると解釈すべきである。
【符号の説明】
【００５４】
１０：圧縮機
２０：タービン
３０：燃焼器
４０：回転軸
５０：供給機
１００：制御装置
１１０：センシング部
１２０：圧縮空気制御部
【図１】
2018184947.tif 000003
【図２】
2018184947.tif 000004
【図３】
2018184947.tif 000005
【図４】
2018184947.tif 000006
【図５】
2018184947.tif 000007
【図６】
2018184947.tif 000008